(57)【要約】【課題】証書等の用紙を折れ目をつけることなく屈曲してフォルダ内に保持すると共に、フォルダを閉じて安定して自立することができ、さらには証書等の用紙を挟みこむとき、その作業を円滑に行うことができる用紙フォルダを提供する【解決手段】背表紙２の内側に沿って設けられた長尺の円管５で証書等の用紙Ｐを前記背表紙２に挟み込んで表表紙３と裏表紙４とを閉じることにより前記用紙Ｐが前記円管５の周形状に倣って屈曲される用紙フォルダにおいて、背表紙２の両端に鳩目６又は切込７を設けて前記円管５に挿通した紐８の両側余長を前記鳩目６又は切込７に通して前記背表紙２の表側に回すことにより前記紐８の両端を結ぶようにし、また前記背表紙２の両端に設けられた切欠１１又は途中位置から内側に突出して内方へ折り返された係止金具１０を前記円管５の両端に挿通することによって該円管５を係止するようにした。【選択図】図５
0003101870.tif 000002
【実用新案登録請求の範囲】
【請求項１】
背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が円弧形であって、前記背表紙の両端に鳩目又は切込を設けて前記円管に挿通した紐の両側余長を前記鳩目又は切込に通して前記背表紙の表側に回すことにより前記紐の両端を結ぶようにしたことを特徴とする用紙フォルダ。
【請求項２】
背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が平坦であって表表紙と裏表紙とが同様の厚さを有することにより、前記表表紙と前記裏表紙を開いた状態で前記表表紙と前記背表紙と前記裏表紙とのなす面が平坦になるようにし、前記背表紙の両端に鳩目又は切込を設けて前記円管に挿通した紐の両側余長を前記鳩目又は切込に通して前記背表紙の表側に回すことにより紐の両端を結ぶようにしたことを特徴とする用紙フォルダ。
【請求項３】
背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記円管に挿通した紐の両側余長を前記背表紙の両端に設けた鳩目に通して該鳩目に係止される結び目を作ることにより、前記紐が前記背表紙の前面を遮らないようにしたことを特徴とする用紙フォルダ。
【請求項４】
前記鳩目に係止される結び目を被覆して該結び目が外から見えないようにしたことを特徴とする請求項３記載の用紙フォルダ。
【請求項５】
背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が円弧形であって、前記背表紙の両端に設けられた切欠又は途中位置から内側に突出して内方へ折り返された係止金具を前記円管の両端に挿通することによって該円管を係止するようにしたことを特徴とする用紙フォルダ。
【請求項６】
背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が平坦であって表表紙と裏表紙とが同様の厚さを有することにより、表表紙と裏表紙を開いた状態で表表紙と背表紙と裏表紙とのなす面が平坦になるようにし、前記背表紙の両端に設けられた切欠又は途中位置から内側に突出して内方へ折り返された係止金具を前記円管の両端に挿通することによって該円管を係止するようにしたことを特徴とする用紙フォルダ。
【考案の詳細な説明】
【技術分野】
【０００１】
本考案は、卒業証書、会員証、表彰状等の証書の他、図面や絵画等の用紙を整理又は展示するのに使用する用紙フォルダに関する。
【背景技術】
【０００２】
卒業証書や表彰状等の証書を筒ケース等に入れて丸めて保管すると、それを展開して見るとき、湾曲状のくせがついてしまうため、平坦にするのに手間がかかり、またシワ等が付いてしまうという問題があった。そこで、従来から、このような証書をフォルダに挟むことによって、シワや折り目の付かない状態で保管することが行なわれていたが、大判の証書を平面の状態で保管するにはフォルダが大型になり、保管や持ち運びに不便なものとなっていた。
【０００３】
このような従来の問題点を解消するために案出された特許文献１のフォルダは、図１３に示すように、背表紙３３の内面側に沿って心棒３４を配置し、心棒３４の背表紙３３側の横断面を円弧形状にし、心棒３４と背表紙３３との間に証書、図面、絵画などを挿入可能にして心棒３４を背表紙３３に取り付け、証書、図面、絵画などを心棒３４と背表紙３３との間に挿入して表表紙３１と裏表紙３２の内面に重ねたうえで、証書、図面、絵画などの中央部を心棒３４の円弧形状に沿って曲げて、二つ折りにするようにしたものである。
【特許文献１】実用新案登録第３０６４５８２号公報（第１頁、図１）
【考案の開示】
【考案が解決しようとする課題】
【０００４】
ところで、上記の特許文献１のフォルダにおいては、心棒３４を円管にして、該円管を係止するために留め金３５（図１３参照）や紐３６（図１４参照）を用いる技術が開示されているが、これらの留め金３５や紐３６は円管に挿通された状態で背表紙３３の両端から突出（突出部３６ａ）して背表紙３３の表側に回されるため、図１４に示すように、このフォルダを閉じて自立させるとき、背表紙３３の下端部に突出した留め金３５或いは紐３６（突出部３６ａ）がフォルダの安定した自立を妨げて転倒するという欠点がある。
【０００５】
また、上記の特許文献１のフォルダにおいて、図１５に示すように、背表紙３３が円弧形状に形成されているため、証書、図面、絵画などの用紙Ｐを心棒と背表紙３３との間に挿入する際、用紙Ｐの先端が背表紙３３の境界を成す凸部や心棒３４に当たって円滑に挿入できないという欠点があった。
【０００６】
本考案は、上記のような欠点を解消するためになされたもので、証書等の用紙を折れ目をつけることなく屈曲してフォルダ内に保持すると共に、フォルダの表表紙と裏表紙とを閉じて安定して自立することができ、さらには証書等の用紙を挟みこむとき、その作業を円滑に行うことができる用紙フォルダを提供することを目的とする。
【課題を解決するための手段】
【０００７】
上記の目的を達成するために、本考案の請求項１の用紙フォルダは、背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が円弧形であって、前記背表紙の両端に鳩目又は切込を設けて前記円管に挿通した紐の両側余長を前記鳩目又は切込に通して前記背表紙の表側に回すことにより前記紐の両端を結ぶようにしたことを特徴とする。
【０００８】
本考案の請求項２の用紙フォルダは、背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が平坦であって表表紙と裏表紙とが同様の厚さを有することにより、前記表表紙と前記裏表紙を開いた状態で前記表表紙と前記背表紙と前記裏表紙とのなす面が平坦になるようにし、前記背表紙の両端に鳩目又は切込を設けて前記円管に挿通した紐の両側余長を前記鳩目又は切込に通して前記背表紙の表側に回すことにより紐の両端を結ぶようにしたことを特徴とする。
【０００９】
本考案の請求項３の用紙フォルダは、背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記円管に挿通した紐の両側余長を前記背表紙の両端に設けた鳩目に通して該鳩目に係止される結び目を作ることにより、前記紐が前記背表紙の前面を遮らないようにしたことを特徴とする。
【００１０】
本考案の請求項４の用紙フォルダは、請求項３において、前記鳩目に係止される結び目を被覆して該結び目が外から見えないようにしたことを特徴とする。
【００１１】
本考案の請求項５の用紙フォルダは、背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が円弧形であって、前記背表紙の両端に設けられた切欠又は途中位置から内側に突出して内方へ折り返された係止金具を前記円管の両端に挿通することによって該円管を係止するようにしたことを特徴とする。
【００１２】
本考案の請求項６の用紙フォルダは、背表紙の内側に沿って設けられた長尺の円管で証書等の用紙を前記背表紙に挟み込んで表表紙と裏表紙とを閉じることにより前記用紙が前記円管の周形状に倣って屈曲される用紙フォルダにおいて、前記背表紙は断面が平坦であって表表紙と裏表紙とが同様の厚さを有することにより、表表紙と裏表紙を開いた状態で表表紙と背表紙と裏表紙とのなす面が平坦になるようにし、前記背表紙の両端に設けられた切欠又は途中位置から内側に突出して内方へ折り返された係止金具を前記円管の両端に挿通することによって該円管を係止するようにしたことを特徴とする。
【考案の効果】
【００１３】
以上の本考案の用紙フォルダによれば、いずれのものにおいても、長尺の円管で証書等の用紙を背表紙に挟み込んで表表紙と裏表紙とを閉じることにより、証書等の用紙が円管の周形状に倣って折目のない状態で屈曲されるため、その用紙を広げることによって、折り目のない元の平坦な用紙に復帰させることができる。
【００１４】
また、請求項１の用紙フォルダによれば、背表紙は断面が円弧形であって、背表紙の両端に鳩目又は切込を設けて円管に挿通した紐の両側余長を鳩目又は切込に通して背表紙の表側に回すことにより紐の両端を結ぶようにしてあり、紐は背表紙の両端から突出することなく背表紙の表側に回されるため、このフォルダを閉じて自立させたとき、背表紙と表表紙と裏表紙との各下端は一つの面上に揃って安定した自立状態を維持することができる。
【００１５】
請求項２の用紙フォルダによれば、背表紙は断面が平坦であって表表紙と裏表紙とが同様の厚さを有することにより、表表紙と裏表紙を開いた状態で表表紙と背表紙と裏表紙とのなす面が平坦になるようにしてあるため、用紙を円管と背表紙との間に差し込むと、用紙が進入するに従って円管が回転することにより用紙を円滑に送り出すことができる。
【００１６】
また、請求項２の用紙フォルダにおいもてまた、背表紙の両端に鳩目又は切込を設けて円管に挿通した紐の両側余長を鳩目又は切込に通して背表紙の表側に回すことにより紐の両端を結ぶようにしてあるため、このフォルダを閉じて自立させたとき、背表紙と表表紙と裏表紙との各下端は一つの面上に揃って安定した自立状態を維持することができる。
【００１７】
また、本考案の請求項３の用紙フォルダにおいては、円管に挿通した紐の両側余長を背表紙の両端に設けた鳩目に通して該鳩目に係止される結び目を作ることにより、紐が背表紙の前面を遮らないようにすることができ、背表紙に表題を記載した場合には、この表題が紐で遮られることなく完全に見えるものとなる。
【００１８】
さらに、背表紙の両端の鳩目に係止された結び目に適当なシール材を付着することで遮蔽することにより、この結び目が外から見えないようにすることができる。
【００１９】
また、請求項４の用紙フォルダによれば、背表紙の両端に設けられた切欠又は途中位置から内側に突出して内方へ折り返された係止金具を円管の両端に挿通することによって該円管を係止するようにしてあるため、両端の係止金具によって、円管は背表紙の内側に沿った定位置に保持され、円管の下に挟んだ用紙を押さえつけることができる。
【００２０】
また、このような用紙フォルダにおいて、係止金具は背表紙の両端から突出することがないため、このフォルダを閉じて自立させたとき、背表紙と表表紙と裏表紙の各下端は一つの面上に揃って安定した自立状態を維持することができる。
【００２１】
さらに、請求項５の用紙フォルダによれば、背表紙は断面が平坦であって表表紙と裏表紙とが同様の厚さを有することにより、表表紙と裏表紙を開いた状態で表表紙と背表紙と裏表紙とのなす面が平坦になるようにしてあるため、円管と背表紙との間に用紙を挿入するときには、用紙を円管と背表紙との間に差し込むと、用紙が進入するに従って円管が回転して用紙を円滑に送り出すことができる。
【００２２】
また、請求項５の用紙フォルダによれば、係止金具は背表紙の両端から突出することがないため、このフォルダを閉じて自立させたとき、背表紙と表表紙と裏表紙の各下端は一つの面上に揃って安定した自立状態を維持することができる。
【考案を実施するための最良の形態】
【００２３】
以下、本考案の実施例について図面を参照しながら説明する。
【実施例１】
【００２４】
本実施例の用紙フォルダは、図１に示すように、背表紙２の両側に表表紙３と裏表紙４とを開閉自在に設け、背表紙２の内側に沿って設けられた長尺の円管５で証書等の用紙Ｐを背表紙２の上面に挟み込んで表表紙３と裏表紙４とを閉じることにより、図３(a)に示すように、証書等の用紙Ｐが円管５の周形状に倣って折目のない状態で屈曲されるようにしてある。このように証書等の用紙Ｐが円管５の周形状に倣って屈曲された場合、それを広げると、折り目のない元の平坦な用紙Ｐに復帰させることができる。
【００２５】
なお、以下に示すいずれの実施例においても、図１または図２に示すように、表表紙３と裏表紙４の内側面における角部に三角形状のコーナー具９が付設され、このコーナー具９に用紙Ｐの角部を挿入することによって、円管５で挟み込まれた用紙Ｐの角部を押え、用紙フォルダを開いているときでも、閉じているときでも、用紙Ｐにズレが生じることなく定位置に位置決めされた状態で保管及び展開を行うことができる。
【００２６】
本実施例の用紙フォルダは、図５又は図６に示すように、背表紙２の断面が円弧形に形成され、この背表紙２の両端近傍に鳩目６（図５(a)、図６(a)参照）、又は切込７（図５(b)、図６(b)参照）を設けて円管５に挿通した紐８の両側余長を鳩目６又は切込７に通して背表紙２の表側に回すことにより、図５(a)に示すように、紐８の両端を結ぶ（結び目８ａ）ようにしたものである。このような構成において、紐８を結んだことにより、円管５は背表紙２の内側に沿った定位置に保持され、円管５と背表紙２との間に用紙Ｐを挟持することができる。
【００２７】
上記の用紙フォルダにおいて、背表紙２の両端に、図５(a)、図６(a)に示す鳩目６を設けた場合でも、また図５(b)、図６(b)に示す切込７を設けた場合でも、これらの鳩目６又は切込７に紐８が通されると、紐８は背表紙２の両端から突出することなく背表紙２の表側に回されるため、紐８が背表紙２の端部から突出することがなく、図５(a)、(b)に示すように、このフォルダを閉じて自立させたとき、背表紙２と表表紙３と裏表紙４における各下端はすべての辺が一つの面上に揃って安定した自立状態を維持することができる。
【実施例２】
【００２８】
本実施例の用紙フォルダは、図１に示した用紙フォルダと同様に、背表紙２の両側に表表紙３と裏表紙４とを設けて開閉可能とし、背表紙２の内側に沿って設けられた長尺の円管５で証書等の用紙Ｐを背表紙２に挟み込んで表表紙３と裏表紙４とを閉じることにより、図３(b)に示すように、証書等の用紙Ｐが円管５の周形状に倣って折目のない状態で屈曲されるようにしてある。従って、実施例１と同様に、円管５の周形状に倣って屈曲された用紙Pを広げると、折り目のない元の平坦な用紙Ｐに復帰させることができる。
【００２９】
上記の構成において、本実施例の用紙フォルダは、図８(a)、(b)に示すように、背表紙２の断面が平坦であって表表紙３と裏表紙４とを同様の厚さとすることにより、表表紙３と裏表紙４を開いた状態で表表紙３と背表紙２と裏表紙４とのなす面が連続した平坦になるようにしてある。従って、表表紙3と背表紙２と裏表紙４とのなす面に用紙Pの角が引っかかりやすい凸部や凹部がないため、円管５と背表紙２との間に用紙Ｐを挿入するときは、紐８を緩めたり、円管５を持ち上げて背表紙２との間に隙間をつくらなくても、用紙Ｐを円管５と背表紙２との間に差し込むと、用紙Ｐが進入するに従って円管５が回転して用紙Ｐを円滑に送り出すことができる。
【００３０】
また、本実施例の用紙フォルダは、上記のように背表紙２の断面が平坦であって表表紙3と裏表紙４とが同様の厚さを有する以外は、実施例１と同様であり、この背表紙２の両端に鳩目６（図７(a)、図８(a)参照）又は切込７（図７(b)、図８(b)参照）を設けて円管５に挿通した紐８の両側余長を鳩目６又は切込７に通して背表紙２の表側に回すことにより、図７(a)、(b)に示すように、紐８の両端を結ぶ（結び目８ａ）ようにしたものであり、紐８は鳩目６又は切込７に通されるため、紐８が背表紙２の端部から突出することなく背表紙２の表側に回される。従って、図７(a)、(b)に示すように、このような用紙フォルダを閉じて自立したとき、背表紙２と表表紙3と裏表紙４における各下端はすべての辺が一つの面上に揃って安定した自立状態を維持することができる。
【実施例３】
【００３１】
本実施例の用紙フォルダは、図９(a)、(b)又は図１０(a)、(b)に示すものであり、実施例１、２に示す用紙フォルダと同様に、背表紙２の内側に沿って設けられた長尺の円管５で証書等の用紙Pを背表紙２に挟み込んで表表紙３と裏表紙４とを閉じることにより用紙Pが円管５の周形状に倣って折目のない状態で屈曲される構成を有するものである。従って、実施例１と同様に、円管５の周形状に倣って屈曲された用紙Pを広げると、折り目のない元の平坦な用紙Ｐに復帰させることができる。
【００３２】
本実施例の用紙フォルダは、上記の構成において、円管５に挿通した紐８の両側余長を背表紙２の両端に設けた鳩目６、６に通して該鳩目６、６に係止される結び目８ａ、８aを作ることにより、紐８が背表紙２の前面を遮らないようにしてある。従って、この背表紙２に表題（例えば、図６に示す「卒業証書」）を記載した場合には、この表題が紐８で遮られることなく完全に見えるものとなる。
【００３３】
なお、このような構成においては、円管５に挿通した紐８を張った状態にして両側の鳩目６、６に係止される結び目８a、８aを作る必要があり、夫々の結び目から延長された余分な紐は切断しておくのが好ましい。
【００３４】
さらに、本実施例においては、上記のように背表紙２の両端の鳩目６、６に係止された結び目８a、８aは、そのままにしておけば、外方から見えるものであるが、図９(b)又は図１０(b)に示すように、夫々の結び目８aに適当なシール材１２或いは背表紙２と同様の素材等を付着することによって遮蔽することにより、この結び目８aが外から見えないようにすることができる。
【００３５】
なお、本実施例において、図９(a)、(b)に示す用紙フォルダは、背表紙２の断面が円弧形に形成され、図１０(a)、(b)に示す用紙フォルダは、背表紙２の断面が平坦であって表表紙３と裏表紙４とを同様の厚さとすることにより、表表紙３と裏表紙４を開いた状態で表表紙３と背表紙２と裏表紙４とのなす面が連続した平坦になるようにしている。
【００３６】
従って、図１０(a)、(b)に示すように、背表紙２の断面が平坦であって表表紙３と裏表紙４とを同様の厚さにした場合、実施例２と同様に、表表紙３と裏表紙４を開いた状態で表表紙３と背表紙２と裏表紙４とのなす面が連続した平坦になり、円管５と背表紙２との間に用紙Ｐを挿入するときは、紐８を緩めたり、円管５を持ち上げて背表紙２との間に隙間をつくらなくても、用紙Ｐを円管５と背表紙２との間に差し込むことにより、用紙Ｐが進入するに従って円管５が回転して用紙Ｐを円滑に送り出すことができる。
【実施例４】
【００３７】
本実施例の用紙フォルダは、図２に示すように、背表紙２の両側に表表紙3と裏表紙４とを結合して開閉可能とし、背表紙２の内側に沿って設けられた長尺の円管５で証書等の用紙Ｐを背表紙２に挟み込んで表表紙3と裏表紙４とを閉じることにより、図４(a)に示すように、証書等の用紙Ｐが円管５の周形状に倣って屈曲されるようにしてある。従って、実施例１と同様に、円管５の周形状に倣って屈曲された用紙Pを広げると、折り目のない元の平坦な用紙Ｐに復帰させることができる。
【００３８】
上記の構成において、本実施例の用紙フォルダは、図１１(a)、(b)に示すように、背表紙２の断面が円弧形に形成され、この背表紙２の両端に設けられた切欠１１（図１１(b)参照）又は途中位置（図１１(b)参照）から内側に突出して内方へ折り返された係止金具１０を円管５の両端に挿通することによって該円管５を係止するようにしている。このような構成により、両端の係止金具１０、１０によって、円管５は背表紙２の内側に沿った定位置に保持され、円管５の下に挟んだ用紙Ｐを挟み込むことができる。
【００３９】
また、このような用紙フォルダにおいて、係止金具10は背表紙２の両端から突出することがないため、このフォルダを閉じて自立させたとき、背表紙２と表表紙3と裏表紙４の各下端は一つの面上に揃って安定した自立状態を維持することが可能となる。
【実施例５】
【００４０】
本実施例の用紙フォルダは、図２に示した用紙フォルダと同様に、背表紙２の両側に表表紙３と裏表紙４とを設けて開閉可能とし、背表紙２の内側に沿って設けられた長尺の円管５で証書等の用紙Ｐを背表紙２に挟み込んで表表紙３と裏表紙４とを閉じることにより、図４(b)に示すように、証書等の用紙Ｐが円管５の周形状に倣って屈曲されるようにしてある。従って、実施例１と同様に、円管５の周形状に倣って屈曲された用紙Pを広げると、折り目のない元の平坦な用紙Ｐに復帰させることができる。
【００４１】
また、本実施例の用紙フォルダは、図１２(a)、(b)に示すように、背表紙２の断面が平坦であって表表紙3と裏表紙４と同様の厚さを有することにより、表表紙3と裏表紙４を開いた状態で表表紙3と背表紙２と裏表紙４とのなす面が連続した平坦になるようにしてある。従って、表表紙3と背表紙２と裏表紙４とのなす面に用紙Pの角が引っかかりやすい凸部や凹部がないため、円管５の下に用紙Ｐを挿入するときは、紐８を緩めたり、円管５を持ち上げて背表紙２との間に隙間をつくらなくても、用紙Ｐを円管５と背表紙２との間に差し込むと、用紙Ｐが進入するに従って円管５が回転して用紙Ｐを円滑に送り出すことができる。
【００４２】
また、本実施例の用紙フォルダは、上記のように背表紙２の断面が平坦であって表表紙3と裏表紙４とが同様の厚さを有する以外は、実施例３と同様であり、この背表紙２の両端に設けられた切欠１１（図１２(b)参照）又は途中位置（図１２(a)参照）から内側に突出して内方へ折り返された係止金具１０、１０を円管５の両端に挿通することによって該円管５を係止するようにしている。従って、このような用紙フォルダにおいても、係止金具１０は背表紙２の両端から突出することがないため、この用紙フォルダを閉じて自立させたとき、背表紙２と表表紙3と裏表紙４との各下端は一つの面上に揃って安定した自立状態を維持することが可能となる。
【産業上の利用可能性】
【００４３】
本考案の用紙フォルダは、証書等の用紙を折れ目をつけることなく屈曲してフォルダ内に保持すると共に、フォルダを閉じて安定して自立することができ、さらには証書等の用紙を挟みこむとき、その作業を円滑に行うことができるフォルダとして利用することができ、卒業証書等の証書のほか、会員証、表彰状、図面、絵画等の用紙を保持する際にも利用することができる。
【図面の簡単な説明】
【００４４】
【図１】本考案による実施例１、２、３に関する用紙フォルダを開いた状況を示す内側平面図である。
【図２】本考案による実施例４、５に関する用紙フォルダを開いた状況を示す内側平面図である。
【図３】(a)と(b)は、本考案の実施例１、２における用紙フォルダの円管に証書等の用紙を挟んだ屈曲状況を示す部分側面図である。
【図４】(a)と(b)は、本考案の実施例４、５における用紙フォルダの円管に証書等の用紙を挟んだ屈曲状況を示す部分側面図である。
【図５】(a)と(b)は、本考案による実施例１に関する用紙フォルダを自立させた状況を示す背表紙側の外観図である。
【図６】(a)と(b)は、本考案による実施例１に関する用紙フォルダの鳩目又は切込付近の状況を示す内側の部分斜視図である。
【図７】(a)と(b)は、本考案による実施例２に関する用紙フォルダを自立させた状況を示す背表紙側の外観図である。
【図８】(a)と(b)は、本考案による実施例２に関する用紙フォルダの鳩目又は切込付近の状況を示す内側の部分斜視図である。
【図９】(a)と(b)は、本考案による実施例３に関し、背表紙の断面が円弧形である用紙フォルダを自立させた状況を示す背表紙側の外観図である。
【図１０】(a)と(b)は、本考案による実施例３に関し、背表紙の断面が平坦である用紙フォルダを自立させた状況を示す背表紙側の外観図である。
【図１１】(a)と(b)は、本考案による実施例４に関する用紙フォルダの係止金具付近の状況を示す内側の部分斜視図である。
【図１２】(a)と(b)は、本考案による実施例５に関する用紙フォルダの係止金具付近の状況を示す内側の部分斜視図である。
【図１３】従来のフォルダを開いた状況を示す平面図である。
【図１４】従来のフォルダを立てた際の下端部を示す部分斜視図である。
【図１５】従来のフォルダを開いた状況における中心端部付近の側面図である。
【符号の説明】
【００４５】
２…背表紙
３…表表紙
４…裏表紙
５…円管
Ｐ…用紙
６…鳩目
７…切込
８…紐
８ａ…結び目
９…コーナー具
１０…係止金具
１１…切欠
１２…シール材
【図１】
0003101870.tif 000003
【図２】
0003101870.tif 000004
【図３】
0003101870.tif 000005
【図４】
0003101870.tif 000006
【図５】
0003101870.tif 000007
【図６】
0003101870.tif 000008
【図７】
0003101870.tif 000009
【図８】
0003101870.tif 000010
【図９】
0003101870.tif 000011
【図１０】
0003101870.tif 000012
【図１１】
0003101870.tif 000013
【図１２】
0003101870.tif 000014
【図１３】
0003101870.tif 000015
【図１４】
0003101870.tif 000016
【図１５】
0003101870.tif 000017